(57)【要約】【課題】特定の搬送周波数において生じる雑音端子電圧を低減するとともに、実際の使用環境における他の電化製品等からの外来ノイズによる影響を抑制することができる空気調和機を提供する。【解決手段】電源供給用の複数本の電源線１０２、電源線１０３と通信線１０４とで室内機１００と室外機２００とが機器間接続されて、機器間で電源の供給と通信とを行う空気調和機１であって、受信側の機器(１００/２００)に送信する送信データを送信信号に変調する際に、その搬送周波数を、擬似乱数を用いることにより予め設定された所定の周波数範囲の中からランダムに選択する。【選択図】図１
2012093018.tif 000002
【特許請求の範囲】
【請求項１】
電源供給用の複数本の電源線と通信用の通信線とで室内機と室外機とが機器間接続されて、機器間で電源の供給と通信とを行う空気調和機であって、
前記室内機と前記室外機は、それぞれ、
通信を制御する通信制御部と、
一次側巻線の一端側に前記複数本の電源線のうちの通信に併用する１本の電源線が接続されるとともに一次巻線の他端側に前記通信線が接続され、かつ、二次巻線の一端側と他端側とに前記通信制御部が接続される高周波トランスと、を備え、
前記通信制御部は、
相手側の機器に送信する通信データを通信信号に変調して自身の側の前記高周波トランスの二次巻線に供給する際に、前記通信信号の搬送周波数を、擬似乱数を用いることにより、予め設定された所定の周波数範囲の中からランダムに選択すること
を特徴とする空気調和機。
【請求項２】
送信側となる前記通信制御部は、前記通信信号の搬送周波数の周波数範囲が記憶されている不揮発性メモリを備え、
前記送信側となる通信制御部は、前記不揮発性メモリに記憶されている前記周波数範囲を参照して、前記周波数範囲の中から搬送周波数をランダムに選択すること
を特徴とする請求項１に記載の空気調和機。
【請求項３】
前記室外機に接続された前記室内機が２台以上である空気調和機において、前記室外機から前記室内機に通信信号を送信する際に、
前記送信側となる通信制御部は、同時刻において各室内機に送信する前記通信信号の搬送周波数がそれぞれ異なるものとなるように制御すること
を特徴とする請求項１又は請求項２に記載の空気調和機。
【発明の詳細な説明】
【技術分野】
【０００１】
本発明は、室内機と室外機との間で双方向シリアル通信を行う空気調和機に関し、特に、シリアル通信におけるノイズを低減させる技術に関する。
【背景技術】
【０００２】
セパレートタイプの空気調和機においては、空気調和機全体として最適な動作をさせるために、室内機と室外機との間で双方向シリアル通信を行って情報を伝達することが必要である。
例えば、室内機から室外機へは、リモコンを介した使用者による運転要求、設定温度の変更、タイマ、運転モードの変更、停止要求等の指令や、温度検出回路等から出力される室内温度や、室外機の冷媒圧縮機の電動機の回転数についての指令等を送信する。
また、室外機から室内機へは、室外機の冷媒圧縮機の回転数や、室外機の故障情報や、室外の温度情報等を送信する。
【０００３】
上記の送受信は、室内機の制御回路と室外機の制御回路とが通信線等を介してシリアル通信を行うことによりなされる。また、室内機の制御回路と室外機の制御回路は、それぞれマイコン（マイクロコンピュータ：Microcomputer）を内蔵しており、一方の制御回路が他方の制御回路から送信されてくる情報に基づいて室内機又は室外機の動作を制御することにより、空気調和機全体として最適な動作を行うようにしている。
【０００４】
特許文献１には、ＡＣ電源供給用の２本の接続ケーブルのうち一本の接続ケーブルと、通信用の通信ケーブルとに一次側巻線の両端を接続した高周波トランスを室内機と室外機にそれぞれ設けた空気調和機が開示されている。また、当該空気調和機では、室内機の制御系手段は、複数の搬送波周波数の内のいずれか１つの搬送波周波数を出力可能とすることが開示されている。
【先行技術文献】
【特許文献】
【０００５】
【特許文献１】特開２００８−１５７４９６号公報
【発明の概要】
【発明が解決しようとする課題】
【０００６】
特許文献１に記載の空気調和機では、通信用ケーブルの接続端子における雑音端子電圧を基準として、複数の搬送波周波数の内から1つの搬送波周波数を選択している。ここで、雑音端子電圧の測定は、通常、空気調和機を出荷する前の試験・検査において行われる。つまり、空気調和機において通常の使用環境条件下で種々の性能の確認試験が行われるが、その１つとして、接続ケーブルと通信用ケーブルにおける室内機側の端子を使って雑音端子電圧を測定する試験がある。
【０００７】
特許文献１に記載の空気調和機では、空気調和機の出荷前の検査等において、雑音端子電圧が測定され、それに基づいて、複数の搬送波周波数の中で最も雑音端子電圧が小さくなる搬送波周波数を選択する。したがって、特許文献１の空気調和機の場合、空気調和機の駆動中における搬送波周波数は一定である。
【０００８】
特許文献１に記載の空気調和機においては、室内機と室外機との通信信号が、高周波トランスを介して通信用ケーブルに重畳されている構成である。当該空気調和機では、その動作中において、高周波の搬送波周波数が一定であるため、特定周波数の雑音端子電圧等のノイズが大きくなるという問題がある。
また、他の電化製品から出されるノイズの周波数と一致してしまった場合、ノイズの影響による誤動作といった不具合が発生する可能性がある。
【０００９】
本発明は、特定の搬送波周波数において生じる雑音端子電圧を低減することができる空気調和機を提供することを課題とする。
【課題を解決するための手段】
【００１０】
前記課題を解決し、本発明の目的を達成するために、以下のように構成した。
すなわち、電源供給用の複数本の電源線と通信用の通信線とで室内機と室外機とが機器間接続されて、機器間で電源の供給と通信とを行う空気調和機であって、送信側の通信制御部は、受信側の機器に送信する通信データを通信信号に変調する際に、該通信信号の搬送周波数を、擬似乱数を用いることにより予め設定された所定の周波数範囲の中からランダムに選択するように構成した。
【発明の効果】
【００１１】
本発明により、特定の搬送波周波数において生じる雑音端子電圧を低減する空気調和機を提供することができる。
【図面の簡単な説明】
【００１２】
【図１】本発明の第１実施形態に係る空気調和機の回路構成図である。
【図２】本発明の第１実施形態に係る空気調和機の通信信号のＡ点及びＢ点における信号波系図である。
【図３】本発明の第１実施形態に係る空気調和機の室内機のマイコンから通信信号を送信する場合のフローチャートである。
【図４】本発明の第２実施形態に係る空気調和機の回路構成図である。
【図５】本発明の第２実施形態に係る空気調和機の室外機のマイコンから通信信号を送信する場合のフローチャートである。
【発明を実施するための形態】
【００１３】
本発明の実施形態について、適宜図面を参照しながら詳細に説明する。なお、各図において、共通する部分には同一の符号を付し、重複した説明を省略する。
【００１４】
（第１実施形態）
図１は、本発明の第１実施形態に係る空気調和機１の回路構成図である。図１において、室内機１００及び室外機２００は交流電源１０１から供給される交流電力により駆動する。室内機１００では、交流電源１０１から供給される交流電力がＡＣ−ＤＣコンバータ１０５を介し、直流電力としてマイコン１０６に供給される。ＡＣ−ＤＣコンバータ１０５は、交流電源１０１から供給される交流電力を直流電力に変換し、マイコン１０６等の制御系を動作させるために必要な電圧を発生させる。マイコン１０６は、室内機１００全体の運転制御を行うためのものである。
【００１５】
マイコン１０６にはＥＥＰＲＯＭ（Electrically Erasable Programmable Read Only Memory）１０７が接続されており、ＥＥＰＲＯＭ１０７には予め、室内機１００と室外機２００との間で通信を行う際に用いられる搬送波の周波数範囲の設定が記憶されている。受信回路１０８はマイコン１０６に接続され、受信した通信信号を復調するための復調回路（図示せず）等を含み、室外機２００からの通信信号を受信する。
【００１６】
送信回路１０９はマイコン１０６に接続され、変調のためのドライバ（図示せず）等を含み、室内機１００のマイコン１０６からの通信信号を受け、室外機２００に向けて送信する。室内機１００と室外機２００間には電源線１０２、電源線１０３、通信線１０４が接続されている。すなわち、電源供給用の２本の電源線１０２、電源線１０３と１本の通信線１０４とで室内機１００と室外機２００とが機器間接続されている。電源線１０２と電源線１０３は、交流電源１０１から室内機１００側に供給される交流電力を室外機２００に供給する。また、電源線１０３と通信線１０４は、室内機１００と室外機２００との間で送受信されるシリアル信号を伝達する。なお、電源線１０３は電力の供給と信号の伝達の両方の役割を兼ねている。
【００１７】
高周波トランス１１０は、通信信号の送受信のために用いられる。電源線１０３及び通信線１０４に接続された高周波トランス１１０の巻線は、コンデンサ１１１と並列共振回路を構成する。電源供給用パワーリレー（コイル側）１１２は室内機１００のマイコン１０６に接続されており、マイコン１０６からの指令に従って、電源供給用パワーリレー（接点側）１１３を開閉させる。
【００１８】
ここで、電源線１０３及び通信線１０４に接続された高周波トランス１１０の巻線側を一次側とし、マイコン１０６側に接続された高周波トランス１１０の巻線側を二次側とする。また、電源線１０３及び通信線１０４に接続された高周波トランス２１０の巻線側を一次側とし、マイコン２０６側に接続された高周波トランス２１０の巻線側を二次側とする。
なお、室内機１００の室内送風機（図示せず）等を駆動するための駆動回路（図示せず）や、室内送風機のモータ（図示せず）、室内機１００の温度検出回路(図示せず)等については、説明を省略する。
【００１９】
室外機２００は、ＡＣ−ＤＣコンバータ２０５、マイコン２０６、ＥＥＰＲＯＭ２０７、受信回路２０８、送信回路２０９、高周波トランス２１０、コンデンサ２１１を備えるが、これらについては上記の説明と同様であるから、その説明を省略する。
なお、室外機２００の冷媒圧縮機（図示せず）等を駆動するための駆動回路（図示せず）や、室外機２００の温度検出回路（図示せず）等については、説明を省略する。
【００２０】
室内機１００と室外機２００の間の信号の送受信について、図１を用いて説明する。通信信号は、室内機１００から送信し、これを室外機２００において受信する場合と、室外機２００から送信し、これを室内機１００において受信する場合とがある。ここでは例として、空気調和機１の使用者（図示せず）からリモコン（図示せず）を介した指示を受け、室内機１００から室外機２００に向けて通信信号を送信する場合について説明する。
【００２１】
室内機１００では、受信部（図示せず）において使用者からリモコンを介した指示（例えば運転要求）を受信すると、マイコン１０６は、室外機２００の電源供給用パワーリレー（コイル側）１１２に通電し、電源供給用パワーリレー（接点側）１１３をオンにする。また、受信部（図示せず）に接続されているマイコン１０６において、通信データを算出する。当該算出は、温度検出回路（図示せず）からの室内温度情報や、高周波トランス１１０を介して室外機２００から受信した情報を加味して、総合的に行われる。なお「通信データ」とは、例えば、設定された室内温度にするために室外機の冷媒圧縮機の電動機を回転させる際の回転数等である。
【００２２】
マイコン１０６は、通信データを例えば８ビットで表現した矩形波の通信信号とし、当該通信信号を高周波の搬送波に乗せて送信回路１０９に送信する。送信回路１０９は、変調用ドライバ（図示せず）によってマイコン１０６からの通信信号を変調し、高周波トランス１１０の二次側巻線に送信（供給）する。高周波トランス１１０では、コア（図示せず）を介して一次側巻線に信号を出力する。ここで、高周波トランス１１０の一次側巻線と並列にコンデンサ１１１が接続されている。したがって、高周波トランス１１０の一次側巻線とコンデンサ１１１とが並列共振回路を形成し、通信信号の波形を正弦波に近い滑らかな形の信号に平滑化する。さらにこの平滑化された通信信号は、電源線１０３及び信号線１０４を介して室外機２００に送信される。
【００２３】
室内機１００から送信された通信信号は、電源線１０３及び通信線１０４を介して室外機２００の高周波トランス２１０の一次側巻線に入力される。高周波トランス２１０の一次側巻線に入力された通信信号は、高周波トランス２１０のコア（図示せず）を介して二次側巻線に出力される。高周波トランス２１０の二次側巻線から出力された通信信号は受信回路２０８において復調され、マイコン２０６において受信される。
【００２４】
室内機１００のマイコン１０６が算出した通信信号を搬送するための搬送波について説明する。図２は、本発明の第１実施形態に係る空気調和機１の通信信号のＡ点（図１参照）及びＢ点（図１参照）における信号波系図である。マイコン１０６において通信データ（例えば設定された室内温度等）が決定すると、マイコン１０６は、当該通信データを例えば８ビットで表現した矩形波信号として送信ポートから出力する。ここで、当該矩形波信号は、搬送波と合成された形で出力される。その際、通信データを表す矩形波信号を搬送するための搬送波の周波数については、マイコン１０６が、ＥＥＰＲＯＭ１０７で設定された搬送波周波数の出力範囲の中から、室外機２００へ送信する通信データごとに、擬似乱数を用いてランダムな周波数を算出する。
【００２５】
図２には搬送波周波数の出力範囲が３つ（ａ−ｘ≦ｆａ≦ａ＋ｘ，ｂ−ｙ≦ｆｂ≦ｂ＋ｙ，ｃ−ｚ≦ｆｃ≦ｃ＋ｚ）示されている。なお、図２においては、ａ−ｘ≦ｆａ≦ａ＋ｘの周波数範囲を「ｆａ：周波数ａ±ｘ」と簡略化して記載しており、ｆｂやｆｃについても同様である。また、ｆａ、ｆｂ、ｆｃは、上記の周波数範囲の信号そのものも表すことがあるものとする。また、ＥＥＰＲＯＭ１０７には、搬送波周波数の出力範囲が記憶されており、ＥＥＰＲＯＭ１０７に記憶する搬送波周波数の出力範囲は１つ（例えば、ａ−ｘ≦ｆａ≦ａ＋ｘ）である。
空気調和機１の検査段階において、複数の搬送波周波数の出力範囲（例えば、ａ−ｘ≦ｆａ≦ａ＋ｘ，ｂ−ｙ≦ｆｂ≦ｂ＋ｙ，ｃ−ｚ≦ｆｃ≦ｃ＋ｚ）から最適な搬送波周波数の出力範囲（例えば、ａ−ｘ≦ｆａ≦ａ＋ｘ）を決定し、空気調和機１の駆動時には当該出力範囲の中から搬送周波数を決定する。
【００２６】
空気調和機１の検査段階における搬送波周波数の出力範囲の決定について説明する。空気調和機１は、通常の使用環境条件下で種々の性能の確認検査が行われる。特に、室内機１００と室外機２００との間の通信制御系における雑音端子電圧の確認検査においては、電源線１０３と通信線１０４における室内機１００側の端子の雑音端子電圧を測定して検査を行う。当該雑音端子電圧の測定試験において、複数の搬送波周波数の出力範囲（例えば、ａ−ｘ≦ｆａ≦ａ＋ｘ，ｂ−ｙ≦ｆｂ≦ｂ＋ｙ，ｃ−ｚ≦ｆｃ≦ｃ＋ｚ）を切り替えてその都度、雑音端子電圧を測定し、最小の雑音端子電圧を出す搬送波の周波数範囲を調べる。このようにして、雑音端子電圧が最小である搬送波周波数の出力範囲（例えば、ａ−ｘ≦ｆａ≦ａ＋ｘ）を決定して採用し、ＥＥＰＲＯＭ１０７において当該搬送波周波数の出力範囲の中から搬送波周波数を選択させるように設定する。
【００２７】
図２においては例として、室内機１００から室外機２００に送信する通信データ（例えば、設定温度）を８ビットで表現し、当該通信データを矩形波信号に変換した場合について示している。なお、通信データを８ビットではなく１６ビットで表現してもよく、それら以外で表現してもよい。例えば室内機１００から室外機２００に向けて設定温度を示すデータを送信する場合、室内機１００のマイコン１０６は、当該設定温度に対応するデータを８ビットで表現して矩形波信号に変換する。また、マイコン１０６はＥＥＰＲＯＭ１０７に予め記憶されている搬送波の周波数範囲内において、複数の周波数の中から、擬似乱数を用いて特定の搬送波周波数を選択する。さらに、マイコン１０６は、擬似乱数を用いて算出した周波数の搬送波と、設定温度に対応する８ビットの矩形波信号とを合成して、マイコン１０６の出力ポートから室外機２００に向けて信号を送信する。
【００２８】
なお、図２の通信信号ｆａ、ｆｂ、ｆｃについては、それぞれ例として、通信信号の搬送波の周波数が２種類ずつ示されているが、雑音端子電圧を最小にする搬送波の周波数範囲（例えばａ−ｘ≦ｆａ≦ａ＋ｘ）において、３つ以上の周波数の中から、擬似乱数を用いてランダムに選択することとしてもよい。
【００２９】
マイコン１０６は、ＥＥＰＲＯＭ１０７において設定された搬送波の周波数範囲内（例えばａ−ｘ≦ｆａ≦ａ＋ｘ）において、予め設定された複数の周波数の中から、擬似乱数を用いて特定の搬送波周波数を選択する。より具体的な例を挙げると、マイコン１０６は、２０ｋＨｚ〜２５ｋＨｚの範囲内において、１ｋＨｚピッチで選択する。つまりこの場合マイコンは２０ｋＨｚ、２１ｋＨｚ、２２ｋＨｚ、２３ｋＨｚ、２４ｋＨｚ、２５ｋＨｚの中から擬似乱数を用いてランダムに特定の周波数（例えば２３ｋＨｚ）を選択し、当該周波数の搬送波を用いてシリアル通信を行う。
上記の選択は、例えば、マイコン１０６が擬似乱数（例えば１〜９９９９までの擬似乱数）を生成し、当該擬似乱数を６で除して、その剰余（０，１，２，３，４，５）を２０ｋＨｚに足すことで実行することができる。
【００３０】
なお、擬似乱数を用いた搬送波周波数の選択については詳細な説明を省略するが、ある設定された数値範囲内における複数の数値の中から特定の数値をランダムに選択できればよい。
ただしマイコン１０６は、算出された搬送波周波数が、ひとつ前の通信データを送る際に用いられた搬送波周波数と同じ場合には、再度搬送波周波数を計算し、前回と異なる搬送波周波数を選択するようにする。
【００３１】
マイコン１０６は、ＥＥＰＲＯＭ１０７において設定された周波数範囲内（例えば、ａ−ｘ≦ｆａ≦ａ＋ｘ）において複数の周波数の中からランダムに選択された周波数の搬送波と、例えば８ビットの矩形波で表現された通信データとを合成してＡ点信号（図１、図２参照）を送信する。マイコン１０６は、さらに、次の通信データについて前回とは異なる搬送波周波数を選択し、当該周波数の搬送波と通信データとを合成してＡ点信号を送信するというように、通信データごとに逐次計算し、送信する。
なお、マイコン１０６は、例えば８ビットで表現された複数の通信データについて、それぞれの通信データに対し、所定の周波数範囲内の複数の周波数の中からランダムに選択された周波数の搬送波を合成して、それらをひとまとまりとして一度に送信するようにしてもよい。
【００３２】
図１では、マイコン１０６の送信ポートから、通信データ（例えば、設定温度）に相当する矩形波信号と搬送波信号とを合成して、通信信号を送信している。しかし、マイコン１０６の送信ポートから通信データに相当する矩形波信号を出力し、マイコン１０６の別ポートから搬送波信号を出力し、室内機１００内の回路においてそれらを合成するようにしてもよい。
【００３３】
なお、実際の空気調和機において、ＥＥＰＲＯＭ１０７を用いた搬送波周波数の設定の具体例は、３０ｋＨｚ±１０ｋＨｚの周波数範囲で１〜数ｋＨｚピッチである。この数値は一例であって、空気調和機の定格出力や使用条件によって搬送波周波数の設定範囲は異なる。
【００３４】
上記の手順により、矩形波としてマイコン１０６の送信ポートから出力されたＡ点信号は、室内機１００の高周波トランス１１０において二次側巻線に送信される。高周波トランス１１０の二次側巻線に送信された通信信号は、高周波トランス１１０の一次側巻線に伝達され、高周波トランス１１０の一次側巻線とコンデンサ１１１によって形成される並列共振回路によって正弦波に近い滑らかな形の通信信号に平滑化される。さらにこの平滑化された通信信号は、電源線１０３及び通信線１０４を介して室外機２００に送信される。図２に、矩形波が平滑化されて正弦波に近い滑らかな形になったＢ点（図１参照）信号を示す。
【００３５】
図３は、本発明の第１実施形態に係る空気調和機１の室内機１００のマイコン１０６から通信信号を送信する場合のフローチャートである。ステップＳ３０１において、室内機１００のマイコン１０６は、室外機２００に向けてデータ送信を開始する。データ送信は、例えば、リモコン（図示せず）を介した使用者（図示せず）からの運転要求、設定温度の変更、停止要求等の指令をマイコン１０６が受信することにより開始される。
【００３６】
ステップＳ３０２において、マイコン１０６は、室外機２００へ送信する通信データを算出し、矩形波信号に変換する。ステップＳ３０３において、マイコン１０６は擬似乱数を用いて、ＥＥＰＲＯＭ１０７に記憶されている搬送波周波数の周波数範囲から、特定の搬送波周波数を算出する。ステップＳ３０４において、マイコン１０６は、ステップＳ３０３で算出した搬送波周波数が前回に算出した搬送波周波数と同じかどうか判定する。つまり、マイコン１０６は、ステップＳ３０３で算出した搬送波周波数と、メモリ（図示せず）に記憶されている、前回算出した搬送波周波数とを比較する。
【００３７】
ステップＳ３０４において、マイコン１０６は、ステップＳ３０３で算出した搬送波周波数が前回に算出した搬送波周波数と同じ場合には（ステップＳ３０４→Ｙｅｓ）ステップＳ３０３にリターンし、搬送波周波数を再度計算する。ステップＳ３０４において、マイコン１０６は、ステップＳ３０３で算出した搬送波周波数が前回に算出した搬送波周波数と異なる場合には（ステップＳ３０４→Ｎｏ）、ステップＳ３０５に進む。
【００３８】
ステップＳ３０５において、マイコン１０６は、次回の搬送波周波数の決定に用いるために、今回算出した搬送波周波数をメモリ（図示せず）に記憶させる。ステップＳ３０６において、マイコン１０６は、ステップＳ３０２において算出した通信データに相当する矩形波信号とステップＳ３０３において算出した周波数の搬送波信号とを合成し、マイコン１０６の送信ポートから室外機２００に向けて通信信号を送信する。
【００３９】
ステップＳ３０７において、マイコン１０６は、すべての通信データを室外機２００に送信したか否か判定する。すべての通信データを室外機２００に送信した場合には（ステップＳ３０７→Ｙｅｓ）、マイコン１０６は、データ送信を終了する（ステップＳ３０９）。室外機２００に送信すべき通信データが残っている場合には（ステップＳ３０７→Ｎｏ）、ステップＳ３０８に進む。ステップＳ３０８において、マイコン１０６は、次の通信データを準備し、ステップＳ３０３にリターンする。
【００４０】
以上、室内機１００から通信信号を送信し、室外機２００において受信する場合について説明したが、本実施形態は、室外機２００から通信信号を送信し、室内機１００において受信する場合にも適用することができる。室外機２００から通信信号を送信し、室内機１００において受信する場合については上記の説明と重複するので、その説明を省略する。
【００４１】
第１実施形態では、ＥＥＰＲＯＭ１０７において設定された範囲内において、マイコン１０６が擬似乱数を用いて搬送波の周波数を計算する。つまり、搬送波の周波数はランダムに変更されるため、特定の搬送波周波数において生じる雑音端子電圧を低減することができる。さらに、実際の使用環境において、他の電化製品等からの外来ノイズによる影響を抑制することができる。
【００４２】
（第２実施形態）
図４は、本発明の第２実施形態に係る空気調和機１の回路構成図である。第２実施形態は、第１実施形態と比較して、２台の室内機１００、４００が１台の室外機２００に接続されている点が異なる。なお、図２には交流電源２０１が室外機２００側から供給されているが、室内機１００及び室内機４００から供給してもよい。ただし、交流電源を室内機１００及び室内機４００から供給する場合、室内機１００と室内機４００のうち少なくとも１台が駆動している場合には、室外機２００も駆動するよう設定しておくこととする。
【００４３】
室外機２００には、室内機１００に接続された電源線１０３と通信線１０４に一次側巻線が接続された高周波トランス２１０が配置されている。高周波トランス２１０の二次側巻線には、室外機２００のマイコン２０６に接続された受信回路４０８及び送信回路４０９が接続されている。
また、室外機２００には、室内機４００に接続された電源線４０３と通信線４０４に一次側巻線が接続された高周波トランス４１０が配置されている。高周波トランス４１０の二次側巻線には、室外機２００のマイコン２０６に接続された受信回路２０８及び送信回路２０９が接続されている。
【００４４】
なお、図４における回路構成の詳細については、第１実施形態においてした説明と重複するので、その説明を省略する。室内機１００及び室内機４００と、室外機２００との間では双方向のシリアル通信が行われるが、ここでは例として、室外機２００から室内機１００及び室内機４００に同時に通信データ（例えば、室外機２００の冷媒圧縮機の回転数）を送信する場合について説明する。
【００４５】
図５は、本発明の第２実施形態に係る空気調和機１の室外機２００のマイコン２０６から通信信号を送信する場合のフローチャートである。
ステップＳ５０１においてマイコン２０６は、室内機１００及び室内機４００に向けてデータ送信を開始する。次に、ステップＳ５０２においてマイコン２０６は、室内機１００及び室内機４００へ送信する通信データを算出し、矩形波信号に変換する。さらに、ステップＳ５０３においてマイコン２０６は、擬似乱数を用いてＥＥＰＲＯＭ２０７に記憶されている搬送波周波数の周波数範囲から、特定の搬送波周波数を算出する。当該搬送波周波数については、室内機１００へ送信する通信データの搬送波周波数と、室内機４００へ送信する通信データの搬送波周波数とを算出する。なお、擬似乱数を用いた搬送波周波数の算出の詳細については、第１実施形態において説明をしたので、その説明を省略する。
ステップＳ５０４においてマイコン２０６は、室内機１００に送信するための搬送波について、今回算出した搬送波周波数が前回に算出した搬送波周波数と同じかどうか判定する。同様に、ステップＳ５０４においてマイコン２０６は、室内機４００に送信するための搬送波についても、今回算出した搬送波周波数が前回に算出した搬送波周波数と同じかどうか判定する。
【００４６】
室内機１００に送信するための搬送波周波数と室内機４００に送信するための搬送波周波数のいずれもが前回算出した周波数と異なる場合には（ステップＳ５０４→Ｎｏ）、ステップＳ５０５に進む。室内機１００に送信するための搬送波周波数と室内機４００に送信するための搬送波周波数のいずれか一方又は両方が、前回算出した周波数と同じ場合には（ステップＳ５０４→Ｙｅｓ）、その搬送波の周波数を再度算出する(ステップＳ５０３にリターン)。
【００４７】
マイコン２０６はさらに、今回算出した、室内機１００に送信するための搬送波の周波数と、室内機４００に送信するための搬送波の周波数とを比較する（ステップＳ５０５）。室内機１００に送信するための搬送波の周波数と室内機４００に送信するための搬送波の周波数とが異なる場合には（ステップＳ５０５→Ｎｏ）、ステップＳ５０６に進む。ステップＳ５０６〜ステップＳ５１０は、図３のフローチャートの３０５〜３０９と同様であるため、説明を省略する。
【００４８】
室内機１００に送信するための搬送波の周波数と室内機４００に送信するための搬送波の周波数とが同じ場合には（ステップＳ５０５→Ｙｅｓ）、一方又は両方の搬送波の周波数を再度計算する(ステップＳ５０３にリターン)。
【００４９】
以上の第２実施形態の説明では、１台の室外機２００に対して室内機が２台（室内機１００、室内機４００）接続されている場合について説明したが、本実施例は１台の室外機２００に対して室内機が３台以上接続されている場合にも適用することができる。この場合、同時刻における室外機２００から各室内機への搬送波周波数が異なるものとなるように設定する。
【００５０】
第２実施形態では、ＥＥＰＲＯＭ２０７において設定された搬送波の周波数範囲の中で、マイコン２０６が擬似乱数を用いて特定の周波数（室内機１００に送信するための搬送波の周波数と、室内機４００に送信するための搬送波の周波数）を算出する。さらにマイコン２０６は、室内機１００に送信するための搬送波の周波数と室内機４００に送信するための搬送波の周波数とを比較して、両者が異なることを条件に、室内機１００への通信データ及び室内機４００への通信データに対して各々の搬送波を合成する。
【００５１】
したがって、本実施形態では、室内機１００への搬送波の周波数と室内機４００への搬送波の周波数とが一致することによって共振し、ノイズが発生することを防止することができる。
【符号の説明】
【００５２】
１００、４００  室内機（機器）
１０１、２０１  交流電源
１０２、４０２  電源線
１０３、４０３  電源線
１０４、４０４  通信線
１０５、２０５  ＡＣ−ＤＣコンバータ
１０６、２０６  マイコン（通信制御部）
１０７、２０７  ＥＥＰＲＯＭ（不揮発性メモリ）
１０８、２０８、４０８  受信回路
１０９、２０９、４０９  送信回路
１１０、２１０、４１０  高周波トランス
１１１、２１１、４１１  コンデンサ
１１２  電源供給用パワーリレー
１１３  電源供給用パワーリレー
２００  室外機（機器）
【図１】
2012093018.tif 000003
【図２】
2012093018.tif 000004
【図３】
2012093018.tif 000005
【図４】
2012093018.tif 000006
【図５】
2012093018.tif 000007